(57)【特許請求の範囲】
【請求項１】
枠材を方形状に連結した枠体に、面材をガスケットを介して装着した建具において、
前記枠材は、面材装着用溝を備え、その面材装着用溝の開口端と連続した係止部を有し、
前記面材の少なくとも一つの端縁部の一側面及び他側面には、係止面を有する抜け止め部材が、その係止面が前記一側面、他側面から突出して固着され、
前記ガスケットは、一側部と他側部とその連結部で断面ほぼコ字形状で、その一側部、他側部の開口端部にシール部が設けられ、前記一側部、他側部の前記シール部を設けた部分よりも連続部寄りに係合部が設けてあると共に、この係合部よりも連結部寄りに抜け止め部を設け、前記シール部が軟質で、前記一側部、他側部、連結部、係合部、抜け止め部を硬質とした樹脂製であり、
前記抜け止め部材が固着された前記面材の前記端縁部に、前記ガスケットを嵌装し、前記抜け止め部材の係止面が前記抜け止め部よりも連結部寄りとした上で、前記枠材の面材装着用溝に、前記ガスケットの一側部、他側部を接近する方向に弾性変形して嵌装され、
前記面材装着用溝に設けられた前記係止部が、前記ガスケットの一側部及び他側部に設けられた前記係合部を押圧し、かつ係合することにより前記ガスケットを、面材装着用溝より抜けないように係止し、かつ前記押圧されたガスケットの一側部及び他側部に設けられた前記抜け止め部が、前記面材に固着された前記抜け止め部材の前記係止面と接することで面材がガスケットから抜けないようにし、前記シール部が面材の一側面、他側面に接するようにしたことを特徴とする建具。
【請求項２】
ガスケットの連結部は、面材装着用溝の底部に当接していることを特徴とする請求項１に記載の建具。
【請求項３】
ガスケットの前記連結部は、面材の嵌装方向に弾性を有する波形状で形成されていることを特徴とする請求項１又は２に記載の建具。
【請求項４】
抜け止め部材は、面材の一側面及び端面に固着される第１の部材と、その他側面及び端面に固着される第２の部材からなると共に、
前記第１の部材と前記第２の部材とは、前記面材の端面において相互に嵌合可能な形状に形成されていることを特徴とする請求項１又は２又は３に記載の建具。
【発明の詳細な説明】
【技術分野】
【０００１】
本発明は、枠体に、ガラス、樹脂板、アルミパネル、木製パネル等の面材をパッキングを介して装着した建具に関する。
【背景技術】
【０００２】
従来から枠体に面材をパッキングを介して装着した建具は種々知られている。
例えば、特許文献１には、面材の端縁近くに係止体を取付け、この係止体を被嵌するようにパッキングを面材の周囲に嵌着して取付け、そのパッキングを枠体を構成する枠材に嵌入して取付けることで、枠体に面材をパッキングを介して装着した建具が知られている。
【０００３】
【特許文献１】実開昭５４−１４１７２２号公報
【発明の開示】
【発明が解決しようとする課題】
【０００４】
前述したように、枠体に面材をパッキングを介して装着した建具を片引き戸、引き違い戸などに用いた場合に、その枠体を構成する縦の枠材を直接手で、または縦枠に取付けられたハンドルや引手などを持って開閉するのが一般的である。
このようにした場合に、建具を開閉するための力によって、その縦の枠材に、その縦の枠材を円弧状に湾曲変形する力が作用する。この湾曲変形する力が縦の枠材の剛性よりも大きくなると、面材が縦の枠材から抜け、その縦の枠材が円弧状に湾曲変形してしまう。
前述した従来の建具においては、面材の端縁近くに取付けた係止体の係止部がパッキングのシール部分に接しているから、面材が縦の枠材から抜けることを係止体の係止部とパッキングのシール部分との接触部で防止できるが、そのパッキングのシール部分が弾性変形することで抜けてしまうから、前述の抜け防止効果は不十分である。
【０００５】
本発明の目的は、枠材に湾曲変形する力が作用しても、面材が枠材から抜けることを確実に防止できるようにした建具を提供することである。
【課題を解決するための手段】
【０００６】
本発明は、枠材を方形状に連結した枠体に、面材をガスケットを介して装着した建具において、
前記枠材は、面材装着用溝を備え、その面材装着用溝の開口端と連続した係止部を有し、
前記面材の少なくとも一つの端縁部の一側面及び他側面には、係止面を有する抜け止め部材が、その係止面が前記一側面、他側面から突出して固着され、
前記ガスケットは、一側部と他側部とその連結部で断面ほぼコ字形状で、その一側部、他側部の開口端部にシール部が設けられ、前記一側部、他側部の前記シール部を設けた部分よりも連続部寄りに係合部が設けてあると共に、この係合部よりも連結部寄りに抜け止め部を設け、前記シール部が軟質で、前記一側部、他側部、連結部、係合部、抜け止め部を硬質とした樹脂製であり、
前記抜け止め部材が固着された前記面材の前記端縁部に、前記ガスケットを嵌装し、前記抜け止め部材の係止面が前記抜け止め部よりも連結部寄りとした上で、前記枠材の面材装着用溝に、前記ガスケットの一側部、他側部を接近する方向に弾性変形して嵌装され、
前記面材装着用溝に設けられた前記係止部が、前記ガスケットの一側部及び他側部に設けられた前記係合部を押圧し、かつ係合することにより前記ガスケットを、面材装着用溝より抜けないように係止し、かつ前記押圧されたガスケットの一側部及び他側部に設けられた前記抜け止め部が、前記面材に固着された前記抜け止め部材の前記係止面と接することで面材がガスケットから抜けないようにし、前記シール部が面材の一側面、他側面に接するようにしたことを特徴とする建具である。
【０００７】
本発明においては、前記ガスケットの連結部は、面材装着用溝の底部に当接していることができる。
【０００８】
このようにすれば、ガスケットの連結部が面材装着用溝の底部に当接することで、ガスケットのガタつきが防止できる。
【０００９】
本発明においては、前記ガスケットの前記連結部は、面材の嵌装方向に弾性を有する波形状で形成することができる。
【００１０】
このようにすれば、面材が熱によって伸び変形した時に、その面材の伸びによってガスケットの連結部が圧縮変形して面材の伸びを吸収することが可能であるから、面材が熱によって伸びた時に面材がたわんで、反ることを防止できる。
【００１１】
本発明においては、抜け止め部材は、面材の一側面及び端面に固着される第１の部材と、その他側面及び端面に固着される第２の部材からなると共に、
前記第１の部材と前記第２の部材とは、前記面材の端面において相互に嵌合可能な形状に形成することができる。
【００１２】
このようにすれば、第１・第２部材を固着手段によって面材の一側面と他側面にそれぞれ別々に固着して固定できると共に、面材の端面に接して面内方向に位置決めできる。
よって、抜け止め部材を面材の一側面、他側面に面内方向に位置決めしてしっかりと固着して取付けできる。
【発明の効果】
【００１３】
本発明によれば、ガスケットの係合部が、枠材の係止部に係合することでガスケットが枠材から抜けないように支持し、そのガスケットの抜け止め部が面材に固着された抜け止め部材の係止面に接することで、面材がガスケットから抜けないように支持しているので、枠材に湾曲変形する力が作用しても枠材から面材が抜けることを確実に防止できる。
【発明を実施するための最良の形態】
【００１４】
本発明の実施の形態にかかる建具の構成について、図１〜図７に基づいて説明する。
図１に示すように、枠体１に面材２を装着して建具３としてある。
前記枠体１は枠材を方形状に連結してある。例えば、上の枠材１０と下の枠材１１と左右の縦の枠材１２を方形状に連結してある。この各枠材は、この実施の形態ではアルミ押出形材である。
前記面材２はガラス、樹脂板、アルミパネル、木製パネル等で、この実施の形態では面材２は樹脂板としてある。
本実施の形態では、建具３は、上の枠材１０が上ガイドレール４に沿って面内方向に移動自在に吊り下げ支持され、前記左右一方の縦の枠材１２における長手方向中間部にハンドル１３が取付けてあり、このハンドル１３を持って面内方向に開閉移動する片引き戸を構成する室内建具としてある。
これに限ることはなく、例えば引き違い戸を構成する室内建具であっても良い。
【００１５】
図２に示すように、面材２の端縁部に抜け止め部材２０が固着してある。この抜け止め部材２０は所定の高さの係止面２０ａを有する。つまり、面材２の一側面２ａ、他側面２ｂよりも突出した２つの係止面２０ａを有している。
前記面材２の全周の端縁部にはガスケット３０が、前記抜け止め部材２０を被嵌するように嵌装して取付けてある。
前記ガスケット３０が縦の枠材１２の面材装着用溝１２ａに嵌装され、面材２の縦縁部が縦の枠材１２に装着される。
【００１６】
前記ガスケット３０は、一側部３１と他側部３２とその連結部３３で断面ほぼコ字形状の長尺材で、その一側部３１、他側部３２の開口端部にはシール部３４が設けられ、その一側部３１、他側部３２の所定位置に係合部３５と抜け止め部３６が設けてある。例えば一側部３１、他側部３２におけるシール部３４よりも連結部３３寄りの中間部には係合部３５が設けてあると共に、この係合部３５よりも連結部３３寄りに抜け止め部３６が設けてある。
前記縦の枠材１２の面材装着用溝１２ａに係止部１２ｂが設けてある。
この係止部１２ｂが前記係合部３５を押圧し、かつ係合することによって前記ガスケット３０を係止し、ガスケット３０が枠材１２から抜けることを防止する。
前記抜け止め部３６が前記抜け止め部材２０の係止面２０ａと近接対向され、その係止面２０ａが抜け止め部３６に接することで面材２がガスケット３０から抜けることを防止する。
【００１７】
このようであるから、面材２が縦の枠材１２から抜けることを確実に防止することができる。
したがって、縦の枠材１２に、その縦の枠材１２の剛性よりも大きな湾曲変形する力が作用した時に、縦の枠材１２の面材装着用溝１２ａに設けた係止部１２ｂがガスケット３０の係合部３５に強く押しつけられ、そのガスケット３０の抜け止め部３６が抜け止め部材２０の係止面２０ａに押しつけられることで、面材２が抜けることを防止する。
このように、抜け止め部材２０とガスケット３０を利用して面材２が縦の枠材１２から抜けないようにしているので、その縦の枠材１２自体を剛性が小さく湾曲変形し易いものとしても面材２が抜けないから、その縦の枠材１２をスリムで見栄え良いものとすることが可能で、前述の室内建具とした場合に見栄えを良くできるので好ましい。
【００１８】
前記ガスケット３０の連結部３３が縦の枠材１２の面材装着用溝１２の底部１２ｃに当接しているので、ガスケット３０のガタつきが防止できる。また、その連結部３３は波形状で面材２の嵌装方向、つまり面内方向に弾性を有し、弾性圧縮変形し易くしてある。
このようであるから、面材２が熱によって面内方向に伸びた場合に、その面材２の伸びによって抜け止め部材２０がガスケット３０の連結部３３を押すので、その連結部３３が面内方向に弾性圧縮変形し、前述した面材２の面内方向の伸びを吸収して面材２が面外方向にたわみ、反ることを防止できる。
このことは、面材２が樹脂板である場合に著しい。
【００１９】
次に、各部材の具体形状の一例を説明する。
前記縦の枠材１２は、一側板１４と他側板１５を連結板１６で連結して面内方向内側に開口した面材装着用溝１２ａを有する断面形状で、その一側板１４、他側板１５の開口端部を面外方向に向かう直線状として前述の係止部１２ｂとしてあると共に、前記連結板１６が前述の底部１２ｃである。
前記抜け止め部材２０は図３に示すように、第１部材２３と第２部材２４を備え、その第１部材２３、第２部材２４が面材２の一側面２ａ、他側面２ｂに固着手段２５で固着して取付けられ、その第１部材２３と第２部材２４とは前記面材２の端面２ｃに接し、かつ端面において相互に嵌合可能な形状に形成されている。
【００２０】
このようであるから、抜け止め部材２０を面材２の一側面２ａ、他側面２ｂに面内方向に位置決めしてしっかりと固着して取付ける。
【００２１】
前記抜け止め部材２０を具体的に説明すると、図３に示すように抜け止め部材２０は、基片２１と当片２２で鉤形状の第１部材２３と第２部材２４を備え、その各基片２１を固着手段２５、例えば接着剤、両面テープなどで面材２の一側面２ａ、他側面２ｂに固着し、当片２２を面材２の端面２ｃに当接して面内方向の位置決めをしている。前記基片２１の端面２１ａが前述の係止部２０ａである。
前記各当片２２には切欠部２２ａが位置をずらして形成され、一方の部材の切欠部２２ａと他方の部材の残存部２２ｂを嵌まり合うようにして当片２２を面材２の端面２ｃに当接することで、第１部材２３の基片２１と第２部材２４の基片２１を面材２の一側面２ａと他側面２ｂに相対向して固着してある。
【００２２】
このように、抜け止め部材２０を第１部材２３と第２部材２４に分離し、その第１・第２部材２３，２４の基片２１を面材２の一側面２ａ、他側面２ｂにそれぞれ固着したことにより、その第１部材２３、第２部材２４を面材２の一側面２ａ、他側面２ｂにしっかりと簡単に固着できる。
【００２３】
前記抜け止め部材２０は面材２の１つの辺の長さよりも短尺で、その面材２の端縁部における長手方向に間隔を置いた複数個所にそれぞれ固着してある。この場合に各個所に第１・第２部材２３，２４を相対向してそれぞれ固着しても良いが、何個所かにのみ第１・第２部材２３，２４を相対向してそれぞれ固着し、残りの個所には第１又は第２部材２３，２４のみを一側面２ａ、他側面２ｂに交互に固着しても良い。
例えば、図４に示すように、面材２の端縁部における上端部と中間部と下端部に第１・第２部材２３，２４を相対向して固着し、それ以外の部分に第１部材２３、第２部材２４を長手方向に位置をずらし、一側面２ａ、他側面２ｂに固着して取付ける。
【００２４】
前記ガスケット３０は、そのシール部３４が軟質で、残りの部分が硬質である。例えば、軟質樹脂と硬質樹脂を用いて２色成形してある。
このようであるから、シール部３４が軟質であるから面板２との間のシール性が優れていると共に、係合部３５、抜け止め部３６が硬質であるから、しっかりと抜け止めできる。
また、ガスケット３０の一側部３１、他側部３２の抜け止め部３６よりも連結部３３寄り部分は傾斜してテーパー形状となっている。これによって、ガスケット３０の縦の枠材１２の面材装着用溝１２ａ内に挿入し易い。
また、抜け止め部材２０の係止面２０ａとガスケット３０の抜け止め部３６とが共に、傾斜面でも良い。
【００２５】
次に、面材２を縦の枠材１２に装着する作業を図５〜図７に基づいて工程順に説明する。
図５（ａ），（ｂ）に示すように、面材２の端縁部の一側面２ａ、他側面２ｂに第１・第２部材２３，２４を固着し、面材２の端縁部に抜け止め部材２０を取付ける。
【００２６】
図６（ａ）に示すように、抜け止め部材２０とガスケット３０を相対向し、図６（ｂ）に示すように各シール部３４と第１・第２部材２３，２４をそれぞれ接しながら面材２とガスケット３０を相対向して移動して図６（ｃ）に示すように、面材２の端縁部にガスケット３０を抜け止め部材２０を被嵌するように嵌め込んで取付ける。
これによって、抜け止め部材２０（当片２２）がガスケット３０の連結部３３に当接し、抜け止め部材２０の係止面２０ａはガスケット３０の抜け止め部３６よりも連結部３３寄りである。
また、抜け止め部３６は抜け止め部材２０と面外方向に離れているので、前述のようにガスケット３０を取付ける時に抜け止め部３６には接しないから、スムーズに取付けできる。
【００２７】
図７（ａ）に示すように、縦の枠材１２の面材装着用溝１２ａとガスケット３０を相対向し、図７（ｂ）に示すように面材装着用溝１２ａの開口端にガスケット３０の一側部３１、他側部３２を接しながら押し込みすることで、その一側部３１、他側部３２が接近する方向に弾性変形して抜け止め部３６が抜け止め部材２０の係止面２０ａよりも面材２寄りに位置し、その係止面２０ａと抜け止め部材３６が近接対向する。
そして、更に押し込むことで図７（ｃ）に示すように係止部１２ｂが係合部３５を押圧し、かつ係合することによりガスケット３０を係止して面材の取付けが完了する。
【００２８】
なお、この実施の形態では上の枠材１０、下の枠材１１は前述と同一形状の面材装着用溝を有し、前述と同様のガスケット３０を用いて面材２の上端縁、下端縁を上・下の枠材１０，１１に装着する。
また、ハンドル１３を備えない縦の枠材と面材２は前述のハンドル１３を備えた縦の枠材と同様に装着しても良いし、抜け止め部材２０を用いずに装着しても良い。
また、上下方向に移動する建具の場合には、上の枠材１０と下の枠材１１の一方又は両方に、面材２を前述のように抜け止め部材２０とガスケット３０を用いて装着すれば良い。
すなわち、枠体１を構成する各枠材における面材が抜けないようにする必要がある枠材に対して前述のように面材２を装着して抜けないようにすれば良い。
【図面の簡単な説明】
【００２９】
【図１】本発明の実施の形態を示す建具の正面図である。
【図２】面材装着部の拡大断面図である。
【図３】抜け止め部材を取り外した状態の斜視図である。
【図４】複数の抜け止め部材の取付け状態を示す正面図である。
【図５】抜け止め部材の取付け説明図である。
【図６】ガスケットの取付け説明図である。
【図７】面材の取付け説明図である。
【符号の説明】
【００３０】
１…枠体、２…面材、２ａ…一側面、２ｂ…他側面、２ｃ…端面、３…建具、１２…縦の枠材、１２ａ…面材装着用溝、１２ｂ…係止部、２０…抜け止め部材、２０ａ…係止面、２１…基片、２２…当片、２３…第１部材、２４…第２部材、３０…ガスケット、３１…一側部、３２…他側部、３３…連結部、３４…シール部、３５…係合部、３６…抜け止め部。
【図１】
0004450325.tif 000002
【図２】
0004450325.tif 000003
【図３】
0004450325.tif 000004
【図４】
0004450325.tif 000005
【図５】
0004450325.tif 000006
【図６】
0004450325.tif 000007
【図７】
0004450325.tif 000008